(57)【要約】【課題】建枠間に取付けが容易で、強固に固定されると共に、形成した通路には段差もなく、更に交差する通路の形成も可能とした足場支持具を提供することを課題とする。【解決手段】伸縮自在した所定長さの足場支持管２の両端部に下方へと延びた支持体７を固着し、該支持体７の下部には建枠Ａの脚柱Ｃを掴み持つ掴み金具８を取り付ける。また、支持体７の上部には建枠Ａの横架材Ｂに係止する係止片１０を取り付ける共に、該係止片１０を建枠Ａの横架材Ｂに係止したときに足場支持管２が建枠Ａの横架材Ｂと略同一高さに位置決めされるようにする。【選択図】  図３
2004308319.tif 000002
【特許請求の範囲】
【請求項１】
伸縮自在とした所定長さの足場支持管の両端部に下方へと延びた支持体を固着し、該支持体の下部の所定位置には建枠の脚柱を掴み持つ掴み金具を取り付ける一方、支持体の上部には建枠の横架材に係止する係止片を取り付ける共に、該係止片を建枠の横架材に係止したときに足場支持管が建枠の横架材と略同一高さに位置決めされるようにしたことを特徴とする足場支持具。
【発明の詳細な説明】
【０００１】
【発明の属する技術分野】
本発明は、土木、建築などの工事現場において、作業用足場を構築する際に建枠間に取り付けて足場板（又は歩廊）を支持することに使用される足場支持具に関する。
【０００２】
【従来の技術】
建築物等の工事においては、建築物の周囲等に枠組足場を建築物の高さに応じて何段にも積み上げて仮設の作業足場を形成している。このとき、作業用通路を交差して構築することもあり、隣接する建枠間に足場板を支持する足場支持具を掛け渡し、該足場支持具に足場板を係止する必要がある。この足場支持具として先行文献の特開２００１−７３５５０号公報には、伸縮自在とした足場支持具の両端に逆Ｕ字状の係止具を備えたものが開示されており、この足場支持具は逆Ｕ字状の係止具を隣接する建枠の横架材間に係止させ、係止具に取り付けた締結ボルトにて横架材を挟み付けて固定している。
【０００３】
【発明が解決しようとする課題】
しかしながら、従来の足場支持具では、締結ボルトを具備する係止具を建枠の横架材間に係止して締結固定し、Ｔ字型の通路を形成することは可能であるが、横架材に係止する係止具がそれなりのスペースをとってしまって横架材の他端部側にもう一本の支持具を取り付けるスペースがなくなり、十字型の交差する通路を形成することができないという問題点があった。
【０００４】
本発明は上記の点に鑑み、建枠間に取付けが容易で、強固に固定されると共に、形成した通路には段差もなく、更に交差する通路の形成も可能とした足場支持具を提供することを課題とする。
【０００５】
【課題を解決するための手段】
本発明は上記の課題を解決するために、伸縮自在とした所定長さの足場支持管の両端部に下方へと延びた支持体を固着し、該支持体の下部の所定位置には建枠の脚柱を掴み持つ掴み金具を取り付ける一方、支持体の上部には建枠の横架材に係止する係止片を取り付ける共に、該係止片を建枠の横架材に係止したときに足場支持管が建枠の横架材と略同一高さに位置決めされるようにしたことを特徴としている。
【０００６】
【発明の実施の形態】
本発明に係る足場支持具によれば、隣接した建枠間に足場支持具を掛け渡すときには、先ず、足場支持具の長さを調整しながら両端部に配置した係止片を隣接する建枠の横架材のそれぞれに係止する。これによって足場支持具の足場支持管が建枠の横架材と略同一高さに位置決めされる。次に、足場支持管の両端部に下方へと延びた支持体に取り付けた掴み金具によって建枠の脚柱を掴み持てば足場支持具が固定される。この足場支持具に足場板（又は歩廊）の一端を取付けるようにするとＴ字型の通路が形成される。更に、交差する通路を形成するときには、横架材の他端部間にもう一本の足場支持具を同様の要領にて取り付け、これに足場板（又は歩廊）の一端を取り付けるようにすると交差する通路が形成される。
【０００７】
このように、上記足場支持具は、取り付け時に足場支持具の両端部の係止片をを建枠の横架材に係止させると、足場支持具の足場支持管が建枠の横架材と同一高さとなって位置決めできるので、取付作業が容易にでき、また係止片と掴み金具の両方の効果によって強固に固定されると共に、足場支持具の足場支持管と建枠の横架材が同一高さであるためにそれぞれに足場板を掛け渡して通路を形成しても段差もなく、安全な通路を提供できる。更に、足場支持具の係止片は単に建枠の横架材に係止して位置決めするだけの大きさのものであれば良いので、係止片の占有スペースも少なくて横架材の他端部側にもう一本の足場支持具を取り付けることも十分可能で、交差する通路を形成することも可能である。
【０００８】
【実施例】
以下、本発明の実施例を図面に基づいて説明する。
【０００９】
図中の１は足場板（又は歩廊）の一端部を支持する足場支持具であり、足場板を掛け止める足場支持管２は外管３に内管４を挿入して長さ方向に伸縮自在としており、外管３に螺着した固定具５によって内管４を締め付けて固定するようにしている。また、内管４には外管３の外径と略同径のカラー体６を摺動自在に遊嵌させており、該カラー体６に足場板（又は歩廊）端部に配設した一対の係止金具のうちの一つを掛け止める。
【００１０】
前記足場支持管２の両端部には下方へと延びた支持体７を固着し、該支持体７の下部には建枠Ａの脚柱Ｃを掴み持つ掴み金具８をボルト・ナット等の締結具９にて取り付けている。掴み金具８の取り付け位置は、建枠Ａの脚柱Ｃ上端部に挿入する連結具の止め孔や止めピンとの接触を避けた適宜位置に取り付けている。また、支持体７の上部には建枠Ａの横架材Ｂに係止するための係止片１０が取り付けられており、該係止片１０は建枠Ａの横架材Ｂに係止したときに足場支持管２が建枠Ａの横架材Ｂと略同一高さとなるような位置に取り付けられている。
【００１１】
上記足場支持具１を建枠に取り付けるときには、図２乃至図３に示すように、隣接する建枠Ａ、Ａ’の間隔に合わせて足場支持管２の長さを適宜調整しながら足場支持具１の両端の係止片１０を建枠Ａ、Ａ’の横架材Ｂの端部に係止させ、続いて掴み金具８によって建枠Ａ、Ａ’の脚柱Ｃを掴んで締結固定する。足場支持具１が固定されると、足場板Ｄの係止金具Ｅを掛け止める位置にカラー体６を適宜摺動させ、外管３とカラー体６に足場板Ｄの係止具Ｅを掛け止めるのである。
【００１２】
このように、足場支持具１を建枠Ａ、Ａ’間に掛け渡すときに、足場支持具１の係止片１０を横架材Ｂに係止することで位置決めができ、楽に取り付けできると共に、足場支持管２と横架材Ｂとの高さ位置が一致することで、図２のように足場板Ｆ、Ｇとの段差がなくなって安全な通路を形成することができる。また、足場支持具１は係止片１０を横架材Ｂに係止させながら掴み金具８にて建枠Ａの脚柱を掴み持つので、強固に固定されて安全であると共に、横架材Ｂに対する係止片１０の係止スペースは狭くて済むので横架材Ｂの他端部にもう一本の足場支持具１を取り付けでき、十字型の交差する通路を形成することも可能となる。
【００１３】
【発明の効果】
以上のように本発明に係る足場支持具によれば、伸縮自在とした所定長さの足場支持管の両端部に下方へと延びた支持体を固着し、該支持体の下部の所定位置には建枠の脚柱を掴み持つ掴み金具を取り付ける一方、支持体の上部には建枠の横架材に係止する係止片を取り付ける共に、該係止片を建枠の横架材に係止したときに足場支持管が建枠の横架材と略同一高さに位置決めされるようにしたので、建枠間に取付けが容易で、強固に固定されると共に、形成した通路には段差もなく、更には交差する通路の形成も可能となる。
【図面の簡単な説明】
【図１】本発明に係る足場支持具の正面図（ａ）と平面図（ｂ）である。
【図２】同上の足場支持具を建枠間に取り付けた状態を示す斜視図である。
【図３】同上の要部の一部省略した拡大図である。
【符号の説明】
１…足場支持具            ２…足場支持管
３…外管                    ４…内管
６…カラー体              ７…支持体
８…掴み金具              １０…係止片
Ａ、Ａ’…建枠                  Ｂ…横架材
Ｃ…脚柱                  Ｄ、Ｇ、Ｆ…足場板（又は歩廊）
Ｅ…係止金具
【図１】
2004308319.tif 000003
【図２】
2004308319.tif 000004
【図３】
2004308319.tif 000005